(57)【要約】【課題】建物ユニットを被覆する保護カバーをめくることなく、カバーの外方からの作業のみで、カバーの上面に雨水が溜まらないようにできるカバーを提供する。【解決手段】直方体状の建物ユニット１を被覆するカバー１０は、建物ユニット１の上面を覆う上面被覆部１１と、２つの短辺側側面を覆う短辺側被覆部１２，１３と、２つの長辺側側面を覆う長辺側被覆部１４，１５とを有する下方開口の形状をしており、カバーは上面被覆部１１を上方に吊上げる吊上げ装置２０を、上面被覆部の外表面に備えており、吊上げ装置は、上面被覆部の両端部に設けた支持部２１，２１と、支持部に両端を支持され揺動可能のクランクバー２２と、クランクバーに形成した吊上げ部２２ａと、上面被覆部と吊上げ部とを連結する連結部２３とを備える。カバー１０は吊上げ装置２０を避けた位置で、建物ユニットの外周を巻回する固定ベルト２５で締め付けられる。【選択図】図５
2010101135.tif 000002
【特許請求の範囲】
【請求項１】
直方体状の建物ユニットを被覆するカバーであって、
該カバーは、前記建物ユニットの上面を覆う上面被覆部と、２つの短辺側側面を覆う短辺側被覆部と、２つの長辺側側面を覆う長辺側被覆部とを有する下方開口の形状をしており、
前記カバーは、前記上面被覆部を上方に吊上げる吊上げ装置を、該上面被覆部の外表面に備えることを特徴とする建物ユニット用カバー。
【請求項２】
前記吊上げ装置は、前記上面被覆部の両端部に設けた支持部と、該支持部に両端を支持され揺動可能のクランクバーと、該クランクバーに形成した吊上げ部と、前記上面被覆部と前記吊上げ部とを連結する連結部とを備えることを特徴とする請求項１に記載の建物ユニット用カバー。
【請求項３】
前記クランクバーは、前記吊上げ部の揺動範囲が前記連結部により規定され、該揺動範囲は９０度を超える角度に設定されていることを特徴とする請求項２に記載の建物ユニット用カバー。
【請求項４】
前記クランクバーは、前記吊上げ部を揺動させるアーム部を前記建物ユニットの長辺側側面に近接して備えていることを特徴とする請求項２又は３に記載の建物ユニット用カバー。
【請求項５】
前記吊上げ装置は、前記上面被覆部の両端部に設けた支持部と、弾性材で形成され両端が前記支持部に支持される軸支部であり、中央が湾曲突出する湾曲吊上げ部であるアーチバーと、前記上面被覆部と前記湾曲吊上げ部とを連結する連結部とを備えることを特徴とする請求項１に記載の建物ユニット用カバー。
【請求項６】
前記アーチバーは、前記湾曲吊上げ部の揺動範囲が前記連結部により規定され、該揺動範囲は９０度を超える角度に設定されていることを特徴とする請求項５に記載の建物ユニット用カバー。
【請求項７】
前記カバーは、シート状物で形成され、前記支持部及び前記連結部は、前記上面被覆部の外表面に縫付けられたベルト状物で形成されることを特徴とする請求項２〜６のいずれかに記載の建物ユニット用カバー。
【請求項８】
前記カバーは、前記吊上げ装置を避けた位置で、前記建物ユニットの外周を巻回する固定ベルトで締め付けられることを特徴とする請求項１〜７のいずれかに記載の建物ユニット用カバー。
【発明の詳細な説明】
【技術分野】
【０００１】
本発明は、ユニット建物を構成する建物ユニットを被覆し、雨水等の浸入を防止する保護カバーに係り、特に、屋外で建物ユニットを被覆したとき、その上面に雨水が溜まらないように構成した建物ユニット用カバーに関する。
【背景技術】
【０００２】
従来、ユニット建物を構成する建物ユニットを建築現場等に仮置きするとき、ユニット上面のシートに雨水が溜まらないようにテント状の屋根を張る必要があった。このような場合、ユニットカバーの内側に空気袋やドーム状のマットを用いて、雨水が溜まらないように屋根を張っていた。
【０００３】
また、この種の建物ユニット用カバーとしては、建物ユニットの頭部を被覆する防水カバーと、この防水カバーを下方から支持する支持部材とからなり、前記支持部材は曲げ弾性を備えた棒状体とされ、上に凸の弓弧形状に弾性変形されて前記防水カバーを下方から押し上げた状態の前記支持部材を前記建物ユニットの天井梁に固定する固定部材が前記支持部材の両端部に設けられている建物ユニットの屋外保管用防水キャップがある（例えば、特許文献１参照）。
【０００４】
【特許文献１】特開平７−１２７２７２号公報
【発明の開示】
【発明が解決しようとする課題】
【０００５】
ところで、前記のように、テント状の屋根を張る場合には、ユニットカバーの内側に空気袋やドーム状のマットを入れる必要がある。また、前記構造の屋外保管用防水キャップは、建物ユニットカバーの内側に棒状体からなる支持部材と固定部材とを設けているため、シートの一部をめくって作業する必要がある。さらに、防水カバーを下方から押し上げた状態の支持部材を建物ユニットに固定するため、作業が煩雑となっていた。
【０００６】
本発明は、このような問題に鑑みてなされたものであって、その目的とするところは、カバーをめくることなく、カバーの外方からの簡単な作業のみで、カバーの上面に雨水が溜まらないようにできる建物ユニット用カバーを提供することにある。また、構成が簡単でカバーの外表面のみに構成できるため、作製が容易な建物ユニット用カバーを提供することにある。
【課題を解決するための手段】
【０００７】
前記目的を達成すべく、本発明に係る建物ユニット用カバーは、直方体状の建物ユニットを被覆するカバーであって、該カバーは、前記建物ユニットの上面を覆う上面被覆部と、２つの短辺側側面を覆う短辺側被覆部と、２つの長辺側側面を覆う長辺側被覆部とを有する下方開口の形状をしており、前記カバーは、前記上面被覆部を上方に吊上げる吊上げ装置を、該上面被覆部の外表面に備えることを特徴としている。
【０００８】
前記のごとく構成された本発明の建物ユニット用カバーは、その外表面に備えた吊上げ装置を用いて上面被覆部を上方へ吊上げるため、カバーの上面被覆部に突出した頂部が形成され、雨水等は頂部から流れ落ちて溜まることが防止され、カバー内部への雨水等の浸入を防止できる。また、雨水等が流れ落ちるため保護カバーに浸透せず、防水の耐久性を向上させることができる。さらに、吊上げ装置はカバーの外側から操作して、その上面被覆部を吊上げることができるため、操作性が向上する。
【０００９】
また、本発明に係る建物ユニット用カバーの好ましい具体的な態様としては、前記吊上げ装置は、前記上面被覆部の両端部に設けた支持部と、該支持部に両端を支持され揺動可能のクランクバーと、該クランクバーに形成した吊上げ部と、前記上面被覆部と前記吊上げ部とを連結する連結部とを備えることを特徴としている。この構成によれば、上面被覆部の外表面に備えたクランクバーを揺動させることで、クランクバーに形成した吊上げ部がカバーの上面被覆部を上方に吊上げることができ、カバー上面に頂部が形成され雨水の滞留を防止することができる。
【００１０】
さらに、本発明に係る建物ユニット用カバーの好ましい具体的な他の態様としては、前記クランクバーは、前記吊上げ部の揺動範囲が前記連結部により規定され、該揺動範囲は９０度を超える角度、好ましくは１１０度程度に設定されていることを特徴としている。この構成によれば、クランクバーはカバーの上面被覆部と連結される連結部により、その揺動範囲が９０度を超える角度に設定され、クランクバーは上死点を超えた状態で、カバーの上面を吊上げた状態で保持されるため、雨水を流れ落とす状態を容易に維持することができる。
【００１１】
また、前記クランクバーは、前記吊上げ部を揺動させるアーム部を前記建物ユニットの長辺側側面に近接して備えていることが好ましい。この構成によれば、建物ユニットの長辺側側面に近接しているクランクバーのアーム部を、操作治具等を用いて建物ユニットの側面から揺動させることで、建物ユニットを被覆しているカバーの上面被覆部を長辺側側面、すなわち側方から容易に吊上げることができる。
【００１２】
前記吊上げ装置は、前記上面被覆部の両端部に設けた支持部と、弾性材で形成され両端が前記支持部に支持される軸支部であり、中央が湾曲突出する湾曲吊上げ部であるアーチバーと、前記上面被覆部と前記湾曲吊上げ部とを連結する連結部とを備えることが好ましい。この構成によれば、弾性材で形成されたアーチバーを揺動させ、その湾曲吊上げ部で連結部を介してカバーの上面被覆部を吊上げて頂部が形成されるため、カバーで被覆された建物ユニットが屋外で降雨にあっても、水滴を容易に流れ落とすことができる。また、アーチバーは弾性材で形成され、カバーを吊上げた状態で押し潰されても変形できるため、建物ユニットを重ねることができ、上の建物ユニットを外すことでカバーの吊上げ状態を復帰できる。
【００１３】
前記アーチバーは、前記湾曲吊上げ部の揺動範囲が前記連結部により規定され、該揺動範囲は９０度を超える角度、好ましくは１１０度程度に設定されていることが好ましい。この構成によれば、アーチバーはカバーの上面被覆部と連結される連結部により、その揺動範囲が９０度を超える角度に設定され、アーチバーは上死点を超えた状態で、カバーの上面を吊上げた状態で保持されるため、雨水を流れ落とす状態を容易に維持することができる。
【００１４】
さらに、前記カバーは、シート状物で形成され、前記支持部及び前記連結部は、前記上面被覆部の外表面に縫付けられたベルト状物で形成されることが好ましい。この構成によれば、建物ユニット用カバーを構成するシート状物に吊上げ装置を構成するクランクバーを支持する支持部と、クランクバーの吊上げ部をカバーの上面被覆部に連結する連結部をベルト状物で縫付けて形成することができ、カバーに吊上げ装置を容易に装着することができる。
【００１５】
また、前記カバーは、前記吊上げ装置を避けた位置で、前記建物ユニットの外周を巻回する外周ベルトで締め付けられることが好ましい。この構成によれば、吊上げ装置を避けた位置ではカバーは建物ユニットに締め付けられて密着し、吊上げ装置でカバーの上面被覆部が吊上げられるため、確実に高低差を付けることができ、雨水等の滞留を確実の防止できる。また、カバーは建物ユニットを被覆した状態で、その外周を固定ベルトで巻回されるため、強風等でカバーが膨らむことが防止され、また輸送中に走行風でカバーが膨らみ、安全走行が妨げられることを防止できる。
【発明の効果】
【００１６】
本発明の建物ユニット用カバーは、その外側から建物ユニットの上面を覆う上面被覆部を吊上げるため雨水等が上面に溜まることがなく、雨水等の内部への浸入を防止して建物ユニットを安定して保護することができる。また、簡単な操作で上面被覆部を吊上げることができ、吊上げ状態を安定して維持することができる。さらに、吊上げ装置は構成が簡単であり、この吊上げ装置をカバーの外表面に容易に装着できる。そして、カバーで建物ユニットを被覆し、建物ユニットが屋外に設置され強風が発生してもカバーが膨らむことを防止でき、また、建物ユニットの輸送中に、走行風によりカバーが膨らむことを防止できる。
【発明を実施するための最良の形態】
【００１７】
以下、本発明に係る建物ユニット用カバーの一実施形態を図面に基づき詳細に説明する。図１は、本発明に係る建物ユニット用カバーで被覆する建物ユニットの斜視図、図２は、図１の建物ユニットの要部斜視図、図３は、図１の建物ユニットを被覆するカバーの一実施形態の概略斜視図、図４は、本実施形態に係るカバーの平面図、図５は、図４に示すカバーの立面図、図６は、図４の要部拡大図、図７は、それぞれ図６のＡ−Ａ線断面図、及びＢ−Ｂ線断面図、図８は、クランクバーの水平状態と揺動状態を示す図６の立面図、図９は、クランクバーの揺動状態を示す図８の左側面図、図１０は、操作治具の斜視図である。
【００１８】
図１，２において、ユニット建物を構成する建物ユニット１は長辺方向及び短辺方向を有する直方体状に形成されており、ユニット建物は、例えば直方体状の複数の建物ユニットを並置すると共に、上下に重ねて構成される。１つの建物ユニット１は、鋼製の構造材、例えば角鋼の柱材、Ｃ鋼の梁材を溶接で直方体状に接合して形成したボックスラーメン構造のものであり、長辺方向の下梁１ａ，１ａ、短辺方向の下梁１ｂ，１ｂ、４本の柱１ｃ，１ｃ，１ｄ，１ｄ、長辺方向の上梁１ｅ，１ｅ、短辺方向の上梁１ｆ，１ｆとから直方体状に形成される。そして、建物ユニット１には、図示していないが、複数の天井根太が上梁１ｅ，１ｅ間に架設され、複数の床根太が下梁１ａ，１ａ間に架設されている。
【００１９】
建物ユニット１には、図２に示すように、長辺方向の上梁１ｅ，１ｅと、短辺方向の上梁１ｆ，１ｆとにより上面２が形成され、短辺方向の上梁１ｅと、短辺方向の下梁１ｂと、柱１ｃ，１ｃとにより一方の短辺側の側面３ａが形成され、短辺方向の上梁１ｅと、短辺方向の下梁１ｂと、柱１ｄ，１ｄとにより他方の短辺側の側面３ｂが形成され、長辺方向の下梁１ａ，１ａと、短辺方向の下梁１ｂ，１ｂとにより下面５が形成される。そして、図１に示すように、４本の柱１ｃ，１ｃ，１ｄ，１ｄに上面には、この建物ユニット１を吊上げるための例えばアイボルト６がねじ込まれるねじ孔が形成されている。
【００２０】
また、建物ユニット１内には、図示していないが、床材、天井材、壁材の他に、必要に応じて、設備機器、配線、配管等が組み込まれている。建物ユニット１は本実施の形態では長辺方向の長さＬ１が５メートルを超える、例えば５．４メートル程度の長さであり、短辺方向の長さＬ２が２．５メートル程度であり、高さＨが２．８メートル程度の直方体をしている。そして、短辺方向の長さＬ２と高さＨで構成される面が短辺側の側面３ａ，３ｂであり、長辺方向の長さＬ１と高さＨで構成される面が長辺側の側面４ａ，４ｂである。なお、長辺方向の長さ、短辺方向の長さ、及び高さは適宜設定できる。
【００２１】
このように構成された建物ユニット１は工場内で製作されたあと、屋外に設置されることがあり、また、建築地までの輸送中に降雨等から保護するために防水性を有する保護カバーで被覆される。本発明は、このように構成された建物ユニット１を覆う保護カバーに関するものであり、本発明の建物ユニット用カバー１０は、直方体状の建物ユニット１を被覆するカバーであって、前記のように長辺方向及び短辺方向を有している。
【００２２】
本実施形態の建物ユニット用カバー１０は、図３〜５に示されるように、建物ユニットの上面を覆う上面被覆部１１と、２つの短辺側側面を覆う短辺側被覆部１２，１３と、２つの長辺側側面を覆う長辺側被覆部１４，１５とを有し、直方体状で下方開口の形状をしており、防水シート等の布製のシート状物１０ａを縫製して形成されている。カバー１０の上面被覆部１１には、上面のコーナーの４個所に貫通孔１６が形成されている。この貫通孔１６は建物ユニット１を吊上げるときにユニットの四隅の柱１ｃ，１ｃ，１ｄ，１ｄの上端に固定される吊上げ用のアイボルトを露出させるための孔である。この貫通孔には雨水の進入を防止するパッキングや止水構造を備えることが好ましく、貫通孔の代わりにスリットを設けるように構成してもよい。
【００２３】
カバー１０は、上面被覆部１１を上方に吊上げる吊上げ装置２０を、上面被覆部の外表面に備えている。この吊上げ装置２０は、図６〜９に詳細に示されるように、上面被覆部１１の短辺方向の両端部に設けた支持部２１，２１と、この支持部２１，２１に両端を支持され揺動可能のクランクバー２２と、このクランクバー２２の中央部に形成した吊上げ部２２ａと、カバー１０の上面の中央部と吊上げ部２２ａとを連結する連結部２３とを備えている。支持部２１，２１は厚手の布製のベルト状物をカバー１０のシート状物１０ａに縫い込んで形成しており、中央部を浮かせた状態で両端部を縫って支持部２１，２１としている。
【００２４】
クランクバー２２は金属製の棒状体から形成され、本実施形態ではステンレス製高張力鋼で直径が９ｍｍ程度のものを屈成して形成している。クランクバー２２は中央に建物ユニット１と略同じ幅の吊上げ部２２ａが形成され、この吊上げ部の両端が直角に曲げられてアーム部２２ｂ，２２ｂが形成され、１平面上で直角に内側に向けて内向部２２ｃ，２２ｃが形成され、さらに１平面上でアーム部２２ｂ，２２ｂと平行にアーム部２２ｄ，２２ｄが形成され、つぎに１平面上で直角に外側に向けて軸支部２２ｅ，２２ｅが形成されている。この軸支部２２ｅ，２２ｅは１直線上になるように屈成されている。
【００２５】
すなわち、クランクバー２２は軸支部２２ｅ，２２ｅに対して、吊上げ部２２ａがアーム部２２ｂ，２２ｂと、アーム部２２ｄ，２２ｄとを加えた長さを半径として揺動可能であり、揺動範囲が規制されない状態では支持部２１，２１を中心に１８０度の範囲で揺動可能となっている。そして、一方のアーム部２２ｂ，２２ｂは、カバー１０の外周側面に近接しており、これらのアーム部を揺動させることで、クランクバー２２を外側から容易に揺動させることができる。
【００２６】
連結部２３は厚手の布製のベルト状物をカバー１０のシート状物１０ａの中央部、すなわち、上面被覆部１１の中心付近に縫い込んで形成しており、連結部２３の両端部が縫い込まれて中間部はシート状物から浮いた状態となっており、この中間の浮いた部分にクランクバー２２の中間の吊上げ部２２ａが位置しており、クランクレバーの揺動範囲は連結部２３の縫い込まれた両端部間で規制される構成となっている。すなわち、クランクレバー２２の水平状態では、クランクレバーは図６，７において連結部２３の左方の端部に位置しており、クランクレバー２２を揺動させると中央の吊上げ部２２ａは左方の端部から離れて浮いた中間部内を移動し、クランクレバーの揺動が９０度を超えると中央の吊上げ部２２ａは右方の端部に近接するように、その揺動範囲が規制されている。連結部２３の右方の端部を縫う縫込み部は、クランクバー２２の揺動角度が１１０度程度になるように、その位置が設定されている。
【００２７】
本実施形態のカバー１０は前記の構成の吊上げ装置２０が、建物ユニット１の長手方向に沿って２個所に配備されている。そして、カバー１０は建物ユニット１に被せられ、上面被覆部１１、短辺側被覆部１２，１３、及び長辺側被覆部１４，１５を覆った状態で、建物ユニットの長手方向の中央部、すなわち、吊上げ装置２０，２０を避けた位置で建物ユニット１の短辺方向の外周を巻回する固定ベルト２５で固定される。この固定ベルト２５は端部にバックル等の締め付け具２６が固定され、他方の端部をバックル２６に通して引っ張ることで、カバー１０を建物ユニットの外周に締め付けることができるものである。なお、カバーの外周を締め付けて建物ユニットに固定する固定手段としては、ベルトに限られるものでなく、紐状のものでもよい。
【００２８】
つぎに、図１０を参照して、本実施形態の吊上げ装置２０を操作する操作治具について説明する。操作治具３０は金属製のパイプあるいは軸を湾曲して形成した軸部３１と、この軸部の先端に２枚の金属板材３２ａ，３２ａを溶接等で平行状態に固着した操作部３２とを備えており、操作部３２の２枚の板材の間隔は吊上げ装置２０のクランクバー２２の直径より若干大きく設定されており、金属板材３２ａ，３２ａの間にクランクバー２２が緩く嵌合できるように構成されている。そして、軸部３１の端部には握りやすいように、例えばゴム製のハンドル部３１ａが固定されている。なお、操作治具は前記の形態に限られるものでなく、棒の先端にクランクバーが挿入できる二股の操作部がある形状等、適宜変更できるものである。
【００２９】
前記の如く構成された本実施形態の建物ユニット用カバー１０の動作について以下に説明する。建物ユニット１に本実施形態のカバー１０を被せて被覆するときは、直方体状のカバー１０の下方開口を建物ユニット１の上部から被せ、カバー１０を下方へ移動させると建物ユニット１を覆うことができる。カバー１０で建物ユニット１を覆ったあと、長辺方向の中央部に固定ベルト２５を巻回し、建物ユニット１に締め付ける。これにより、建物ユニット１は、その長辺方向の中央部を固定ベルト２５で締め付けられ、カバー１０で保護され、雨水等の影響を排除することができる。しかし、この状態では、カバー１０の上面被覆部１１は平坦であり、降雨時には雨水が上面に滞留する恐れがある。
【００３０】
本実施形態のカバー１０では、上面被覆部１１を吊上げ装置２０を用いて雨水等が溜まらない形状にすることができる。上面被覆部１１に水平状態に装着されたクランクバー２２を、図１０に示す操作治具３０を用いて時計方向に揺動させる。操作治具３０の金属板材３２ａ，３２ａの間に、クランクバー２２のアーム部２２ｂを挿入し、支持部２１に対して旋回させると、クランクバーの吊上げ部２２ａは支持部２１を中心に揺動する。
【００３１】
クランクバー２２の揺動角度が９０度未満では旋回動作をやめるとクランクバー２２は元の位置に復帰するが、揺動角度が９０度を超え、上死点を超えて例えば１１０度程度になると、クランクバー２２は連結部２３の内部を移動して右端の縫込み部分に到達し、その位置で保持される。すなわち、９０度未満では、上面被覆部１１の重力によりクランクバー２２は元に戻されるが、９０度を超えた時点で吊上げ部２２ａは上面被覆部１１の重力により下方に引っ張られ、図９に示すように、その中心部が下方に湾曲した状態で連結部２３の右端に到達し（図８参照）、重力はさらに時計方向に作用するため、クランクバーは元に戻らず、その位置で保持される。
【００３２】
クランクバー２２が９０度を超えた位置で保持されると、クランクバーの吊上げ部２２ａと連結部２３で連結された上面被覆部１１の中央部は吊上げられ、図５，８に示すようにテント状の頂部１１ａの形状となる。なお、図５では、左方の吊上げ装置２０のみクランクバー２２を揺動させた状態を示している。このように、カバー１０の上面被覆部１１がテント状の頂部１１ａに形成されることで、カバー１０で保護された建物ユニット１が屋外に保管され、降雨等が発生しても、雨水はテント状の上面被覆部テント状の傾斜面に沿って落下するため、上面被覆部１１に雨水が滞留することが防止される。
【００３３】
吊上げ装置２０を解除するときは、９０度を超えた位置で保持されているクランクバー２２を、操作治具３０を用いて反時計方向に揺動させる。クランクバー２２は９０度を通過すると上面被覆部１１の重力で自然に反時計方向に揺動、復帰して水平状態となり、吊上げられていた上面被覆部１１は平坦となって建物ユニット１の上面２に密着する。このように、吊上げ装置２０で吊上げた上面被覆部１１を平坦に戻す操作は、カバー１０の外側からクランクバー２２を反転させる操作のみで極めて容易に行える。
【００３４】
前記のように、吊上げ装置２０を用いて、建物ユニット１を被覆するカバー１０の上面被覆部１１を容易に吊上げて頂部を形成し、上面に雨水等が滞留するのを容易に防止することができる。また、保管時に、雨水等の影響を少なくするため、上面被覆部１１を吊上げた状態から、例えば輸送時に上面被覆部１１を平坦な状態に復帰する場合は、カバー１０の外側で、クランクバー２２を建物ユニット１の側方から反時計方向に揺動させるだけの簡単な操作で、容易に平坦にできる。
【００３５】
つぎに、本発明の他の実施形態を図１１，１２に基づいて説明する。図１１は、本発明に係る建物ユニットカバーの他の実施形態の要部平面図、図１２は図１１の立面図である。この実施形態は、前記実施形態に対して、上面被覆部を上方に吊上げる吊上げ装置が異なることを特徴としている。そして、他の実質的に同等の構成については同じ符号を付して詳細な説明は省略する。
【００３６】
図１１，１２において、吊上げ装置４０は、弾性材で形成され両端がカバー体１０の支持部２１，２１に支持される軸支部４１，４１であり、中央が湾曲突出する湾曲吊上げ部４２であるアーチバー４３を備えるものである。そして、軸支部４１，４１とアーチバー４３の連結部分には、平面視がＬ字状の操作部４４，４４が溶接等により固着してあり、操作部の先端は外側に向けて延出している。弾性材としては、ステンレス鋼やバネ鋼等の弾力性を有する金属棒が好ましく、湾曲吊上げ部４２が揺動して立ち上がっているとき、上方から押圧されると変形して平坦となり、押圧が解除されると復帰する構成となっている。アーチバー４３は、軸支部４１，４１を中心に、半径Ｒで１１０度程度の揺動範囲で揺動することができる。そして、吊上げ装置４０は上面被覆部１１と湾曲吊上げ部４２とを連結する連結部２３とを備えている。
【００３７】
このように構成された吊上げ装置４０では、先端が外側に向けて延出している操作部４４，４４を、図１０で示される操作治具３０で揺動させることで、アーチバー４３を時計方向に、９０度を超えて揺動させると、湾曲吊上げ部４２が連結部２３を介してカバー体１０の上面被覆部１１を上方に吊上げ、カバー１０の上面被覆部１１がテント状の頂部１１ａに形成される。これにより、カバー１０で保護された建物ユニット１が屋外に保管され、降雨等が発生しても、雨水はテント状の上面被覆部テント状の傾斜面に沿って落下するため、上面被覆部１１に雨水が滞留することが防止される。
【００３８】
この実施形態では、前記の実施形態と同様の効果の他に、カバー体１０の上面被覆部１１を吊上げるアーチバー４３が弾性材で形成されることで、以下の効果を奏するものである。すなわち、本実施形態では、建物ユニット１を雨天に据え付けるとき、アーチバー４３を立ち上げた状態で上階建物ユニットを仮置きできる効果がある。下階の建物ユニットの上面被覆部１１が立ち上がっていても、その上に上階建物ユニットを位置させると、アーチバー４３は上方から押圧されて平坦となり、テント状の頂部１１ａは押し潰されるため、上階建物ユニットを載置して仮置きすることができる。そして、上階建物ユニットを取り去ると、弾性材のアーチバー４３はその弾力で元に戻り、テント状の頂部１１ａは復帰して雨水の滞留を防ぐことができる。
【００３９】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、吊上げ装置のクランクバーを支持する支持部をカバーの上面被覆部の短辺方向の両端部に設けた例を示したが、長辺側被覆部の上部に支持部を設けるように構成してもよい。
【００４０】
また、前記の実施形態では、建物ユニット用カバーはその上面被覆部を２箇所吊上げるように構成したが、１箇所のみを吊上げるように構成してもよく、３箇所以上を吊上げるように構成してもよい。そして、３箇所以上吊上げる場合は、固定ベルトは２箇所以上とすることが好ましい。
【産業上の利用可能性】
【００４１】
本発明の活用例として、建物ユニット用カバーを用いて建物ユニットを容易に被覆でき、上面に雨水等が滞留せず、被覆された建物ユニットを保管するときに雨水等の浸入を防止できる。また、直方体状の対象物であれば、建物ユニット以外でも、上面に雨水等が溜まらない状態で保護することができる。
【図面の簡単な説明】
【００４２】
【図１】本発明に係る建物ユニット用カバーで被覆する建物ユニットの斜視図。
【図２】図１の建物ユニットの要部斜視図。
【図３】本発明に係る建物ユニット用カバーの一実施形態の概略斜視図。
【図４】本実施形態に係る建物ユニット用カバーの平面図。
【図５】図４に示すカバーの立面図。
【図６】図４の要部拡大図。
【図７】（ａ）は図６のＡ−Ａ線に沿う連結部の要部断面図、（ｂ）はＢ−Ｂ線に沿う支持部の要部断面図。
【図８】クランクバーの水平状態と揺動状態を示す図６の立面図。
【図９】クランクバーの揺動状態を示す図７の左側面図。
【図１０】クランクバーを揺動させる操作治具の斜視図。
【図１１】本発明に係る建物ユニット用カバーの他の実施形態の要部平面図。
【図１２】図１１の立面図。
【符号の説明】
【００４３】
１：建物ユニット、２：上面、３ａ，３ｂ：短辺側の側面、４ａ，４ｂ：長辺側の側面、５：下面、６：アイボルト、９：建物ユニット用カバー、１０：カバー体、１１：上面被覆部、１１ａ：テント状の頂部、１２，１３：短辺側被覆部、１４，１５：長辺側被覆部、２０：吊上げ装置、２１：支持部、２２：クランクバー、２２ａ：吊上げ部、２２ｂ，２２ｄ：アーム部、２２ｅ：軸支部、２３：連結部、２５：固定ベルト、４０：吊上げ装置、４１：軸支部、４２：湾曲吊上げ部、４３：アーチバー、４４：操作部
【図１】
2010101135.tif 000003
【図２】
2010101135.tif 000004
【図３】
2010101135.tif 000005
【図４】
2010101135.tif 000006
【図５】
2010101135.tif 000007
【図６】
2010101135.tif 000008
【図７】
2010101135.tif 000009
【図８】
2010101135.tif 000010
【図９】
2010101135.tif 000011
【図１０】
2010101135.tif 000012
【図１１】
2010101135.tif 000013
【図１２】
2010101135.tif 000014